(57)【要約】【課題】装置に故障等が発生した場合にも、簡易な構成で通信を継続することである。【解決手段】基地局３０−１のＲＥＣ装置１０−１は、切替指示部１５−１と拡張信号処理部１４−１とを有する。切替指示部１５−１は、ＲＥＣ装置１０−１の状態を監視し、該監視の結果に基づき、ＲＥＣ装置１０−１から拡張用ＲＥＣ装置１０への切替えを決定する。拡張信号処理部１４−１は、切替えが決定された場合、拡張用ＲＥＣ装置１０から送信される信号を取得すると共に、拡張用ＲＥＣ装置１０に対し、切替えを要求する。拡張用ＲＥＣ装置１０は、拡張信号処理部とデジタル処理部とを有する。拡張信号処理部は、拡張信号処理部１４−１による切替えの要求を受信する。デジタル処理部は、受信された切替えの要求に応じて、ＲＥＣ装置１０−１のパラメータを、拡張用ＲＥＣ装置１０に設定し、ＲＥ２０−１との間にリンクを確立する。【選択図】図３
2014230175.tif 000002
【特許請求の範囲】
【請求項１】
無線装置と通信を行う第１の通信制御装置と、第２の通信制御装置とを有する通信制御システムであって、
前記第１の通信制御装置は、
前記第１の通信制御装置の状態を監視し、該監視の結果に基づき、前記第１の通信制御装置から前記第２の通信制御装置への切替えを決定する決定部と、
前記決定部により前記切替えが決定された場合、前記第２の通信制御装置から送信される信号を取得すると共に、前記第２の通信制御装置に対し、前記切替えを要求する要求部とを有し、
前記第２の通信制御装置は、
前記第１の通信制御装置の要求部による前記切替えの要求を受信する受信部と、
前記受信部により受信された前記切替えの要求に応じて、前記第１の通信制御装置のパラメータを、前記第２の通信制御装置に設定し、前記無線装置との間にリンクを確立する制御部
を有することを特徴とする通信制御システム。
【請求項２】
前記第１の通信制御装置の決定部は、前記第１の通信制御装置の故障またはバッテリ駆動またはリソース不足の検出に伴い、前記第１の通信制御装置から前記第２の通信制御装置への切替えを決定することを特徴とする請求項１に記載の通信制御システム。
【請求項３】
前記第１の通信制御装置の決定部は、前記第１の通信制御装置の故障またはバッテリ駆動またはリソース不足の回復に伴い、前記第２の通信制御装置から前記第１の通信制御装置への切戻しを決定し、
前記第１の通信制御装置の要求部は、前記決定部により前記切戻しが決定された場合、前記第２の通信制御装置に対し、前記切戻しを要求し、
前記第２の通信制御装置の制御部は、前記第１の通信制御装置からの前記切戻しの要求に応じて、前記無線装置との間に確立されたリンクを解放することを特徴とする請求項２に記載の通信制御システム。
【請求項４】
前記第１の通信制御装置は、該第１の通信制御装置のバッテリ駆動またはリソース不足の検出に伴い、前記第１の通信制御装置に接続された移動局を、第３の通信制御装置にハンドオーバさせる要求を、該第３の通信制御装置宛に送信する送信部を更に有することを特徴とする請求項１に記載の通信制御システム。
【請求項５】
無線装置と通信を行う通信制御装置であって、
前記通信制御装置の状態を監視し、該監視の結果に基づき、前記通信制御装置から他の通信制御装置への切替えを決定する決定部と、
前記決定部により前記切替えが決定された場合、前記他の通信制御装置から送信される信号を取得すると共に、前記他の通信制御装置に対し、前記切替えを要求する要求部と
を有することを特徴とする通信制御装置。
【請求項６】
無線装置と通信を行う他の通信制御装置と、ネットワークを介して接続された通信制御装置であって、
前記他の通信制御装置から前記通信制御装置への切替えが前記他の通信制御装置において決定された場合に、前記他の通信制御装置から前記通信制御装置に送信される、前記切替えの要求を受信する受信部と、
前記受信部により受信された前記切替えの要求に応じて、前記他の通信制御装置のパラメータを、前記通信制御装置に設定し、前記無線装置との間にリンクを確立する制御部と
を有することを特徴とする通信制御装置。
【請求項７】
無線装置と通信を行う第１の通信制御装置が、
前記第１の通信制御装置の状態を監視し、該監視の結果に基づき、前記第１の通信制御装置から前記第２の通信制御装置への切替えを決定し、
前記切替えが決定された場合、前記第２の通信制御装置から送信される信号を取得すると共に、前記第２の通信制御装置に対し、前記切替えを要求し、
前記第２の通信制御装置が、
前記第１の通信制御装置による前記切替えの要求を受信し、
受信された前記切替えの要求に応じて、前記第１の通信制御装置のパラメータを、前記第２の通信制御装置に設定し、前記無線装置との間にリンクを確立する
ことを特徴とする通信制御方法。
【発明の詳細な説明】
【技術分野】
【０００１】
本発明は、通信制御システム、通信制御装置、及び通信制御方法に関する。
【背景技術】
【０００２】
近年、３ＧＰＰ（Generation  Partnership  Project）に準拠した無線通信技術として、ＬＴＥ（Long  Time  Evolution）が普及しつつある。ＬＴＥでは、ｅＮＢ（evolved  Node  B）等の基地局が、移動局（ＵＥ：User  Equipment）とＣＮ（Core  Network）との間に介在して各種信号を送受信することで、様々なモバイル通信サービスを提供している。上記基地局においては、例えば、ＲＦ（Radio  Frequency）回路と増幅器とを有するＲＥ（Radio  Equipment）と、デジタル処理部を有するＲＥＣ（Radio  Equipment  Control）装置とが、ＣＰＲＩ（Common  Public  Radio  Interface）によりケーブル接続されている。更に、ＲＥＣ装置は、例えば、無線インタフェース、ベースバンド部、ＨＷＹ（HighWaY）インタフェース等を、デジタル処理部内に有する。
【先行技術文献】
【特許文献】
【０００３】
【特許文献１】特開２０１２−１４７１９３号公報
【発明の概要】
【発明が解決しようとする課題】
【０００４】
ＲＥＣ装置は、ハードウェア故障等の何らかの要因により、デジタル処理部が動作不能となった場合に備えて、無線インタフェース、ベースバンド部、ＨＷＹインタフェース等を、デジタル処理部内で二重化することで、冗長構成を実現している。これにより、基地局は、故障時にも、故障した構成部分（例えば、ベースバンド部）を正常な構成部分に切り替えて、上記通信サービスの提供を継続することができる。しかしながら、従来のＲＥＣ装置は、冗長用の構成部分を、装置毎に組み込む構成を採ることから、その分、装置サイズが増大するという問題点があった。また、これに伴い、消費電力やコストが増加するといった問題点があった。これらの問題点は、ＲＥＣ装置内のハードウェア故障に限らず、停電等による電源供給の停止、あるいは、帯域制限等によるリソース不足等、他の要因に起因しても、発生し得るものであった。
【０００５】
開示の技術は、上記に鑑みてなされたものであって、装置に故障等が発生した場合にも、簡易な構成で通信を継続することのできる通信制御システム、通信制御装置、及び通信制御方法を提供することを目的とする。
【課題を解決するための手段】
【０００６】
上述した課題を解決し、目的を達成するために、本願の開示する通信制御システムは、一つの態様において、無線装置と通信を行う第１の通信制御装置と、第２の通信制御装置とを有する。前記第１の通信制御装置は、決定部と要求部とを有する。前記決定部は、前記第１の通信制御装置の状態を監視し、該監視の結果に基づき、前記第１の通信制御装置から前記第２の通信制御装置への切替えを決定する。前記要求部は、前記決定部により前記切替えが決定された場合、前記第２の通信制御装置から送信される信号を取得すると共に、前記第２の通信制御装置に対し、前記切替えを要求する。前記第２の通信制御装置は、受信部と制御部とを有する。前記受信部は、前記第１の通信制御装置の要求部による前記切替えの要求を受信する。前記制御部は、前記受信部により受信された前記切替えの要求に応じて、前記第１の通信制御装置のパラメータを、前記第２の通信制御装置に設定し、前記無線装置との間にリンクを確立する。
【発明の効果】
【０００７】
本願の開示する通信制御システムの一つの態様によれば、装置に故障等が発生した場合にも、簡易な構成で通信を継続することができる。
【図面の簡単な説明】
【０００８】
【図１】図１は、ＲＥＣ拡張制御システムの概要を説明するための図である。
【図２】図２は、拡張用光リンクネットワークの接続形態を示す概念図である。
【図３】図３は、ＲＥＣ装置の構成を示す図である。
【図４】図４は、拡張用ＲＥＣ装置の構成を示す図である。
【図５】図５は、拡張用ＲＥＣ装置への切替時におけるＲＥＣ拡張制御システムの動作を説明するためのフローチャートである。
【図６】図６は、拡張用ＲＥＣ装置からの切戻し時におけるＲＥＣ拡張制御システムの動作を説明するためのフローチャートである。
【図７】図７は、故障発生時における拡張用ＲＥＣ装置への切替え及び切戻しの動作を説明するためのシーケンス図の前半部分である。
【図８】図８は、故障発生時における拡張用ＲＥＣ装置への切替え及び切戻しの動作を説明するためのシーケンス図の後半部分である。
【図９】図９は、バッテリ駆動時及びリソース不足時における拡張用ＲＥＣ装置への切替え及び切戻しの動作を説明するためのシーケンス図の前半部分である。
【図１０】図１０は、バッテリ駆動時及びリソース不足時における拡張用ＲＥＣ装置への切替え及び切戻しの動作を説明するためのシーケンス図の後半部分である。
【発明を実施するための形態】
【０００９】
以下に、本願の開示する通信制御システム、通信制御装置、及び通信制御方法の実施例を、図面を参照しながら詳細に説明する。なお、以下の実施例により本願の開示する通信制御システム、通信制御装置、及び通信制御方法が限定されるものではない。
【００１０】
まず、本願の開示する一実施例に係るＲＥＣ拡張制御システムの構成を説明する。図１は、ＲＥＣ拡張制御システム１の概要を説明するための図である。図１に示す様に、ＲＥＣ拡張制御システム１では、ＲＥＣ装置１０−１とＲＥ２０−１とを有する基地局３０−１、及び基地局３０−１と同様の構成を有する基地局３０−２〜３０−ｎ（ｎは２以上の整数）が、ネットワークＮ１、Ｎ２に接続されている。また、ＲＥＣ拡張制御システム１では、拡張用ＲＥＣ装置１０が、ネットワークＮ１、Ｎ２に接続されている。ネットワークＮ１はコアネットワークであり、ネットワークＮ２は、拡張用光リンクネットワークである。更に、基地局３０−１のＲＥ２０−１には、無線回線を介して、移動局２０が接続されている。また、ＭＭＥ／Ｓ−ＧＷ（Mobility  Management  Entity／Serving-GateWay）４０は、ネットワークＮ１、Ｎ２に接続されている。
【００１１】
拡張用ＲＥＣ装置１０とＲＥＣ装置１０−１、…、１０−ｎとは、従来回路１０ａ及び追加回路１０ｂと、従来回路１０ａ−１、…、１０ａ−ｎ及び追加回路１０ｂ−１、…、１０ｂ−ｎとをそれぞれ有する。従来回路１０ａと従来回路１０ａ−１、…、１０ａ−ｎとは、無線ＩＦ（InterFace）、ベースバンド部、及びＨＷＹＩＦ（HighWaY  InterFace）等をそれぞれ有するデジタル処理部である。追加回路１０ｂと追加回路１０ｂ−１、…、１０ｂ−ｎとについては、後述する。なお、図１において、矢印Ａ１は、従来及び切替え前（拡張用ＲＥＣ装置１０への非接続時）の信号経路を示し、矢印Ａ２は、切替え後（拡張用ＲＥＣ装置１０への接続時）の信号経路を示す。
【００１２】
図２は、拡張用光リンクネットワークＮ２の接続形態を示す概念図である。図２において、段数は、ＲＥＣ装置１０−１が拡張用ＲＥＣ装置１０と通信を行う場合に介在するＲＥＣ装置の数である。拡張用光リンクネットワークＮ２では、ＣＰＲＩプロトコルに則った信号が、常時送受信されている。図２に示す様に、ＲＥＣ装置１０−１を起点として、右回りには、拡張用ＲＥＣ装置１０に信号が到達するまで、何れのＲＥＣ装置も介在しないため、段数は“０段”となる。一方、左回りの場合、ＲＥＣ装置１０−ｎに信号が到達するまでの段数は“０段”であるが、ＲＥＣ装置１０−ｎによる中継後は“１段”となる。従って、ｎ＝３以上の場合には、上記段数は２段以上に増加する。
【００１３】
図３は、ＲＥＣ装置１０−１の構成を示す図である。図３に示す様に、ＲＥＣ装置１０−１は、伝送路ＳＷ（SWitch）１１−１と、デジタル処理部１２−１と、リソース情報管理部１３−１と、拡張信号処理部１４−１と、切替指示部１５−１と、カプラ・伝送路ＳＷ１６−１とを有する。これら各構成部分は、一方向又は双方向に、信号やデータの入出力が可能なように接続されている。
【００１４】
伝送路ＳＷ（SWitch）１１−１は、ＲＥ２０−１とデジタル処理部１２−１との間のＣＰＲＩインタフェースである。また、伝送路ＳＷ１１−１は、ＲＥ２０−１からのＣＰＲＩ信号を監視するＣＰＲＩモニタ１１ａ−１を有する。デジタル処理部１２−１は、無線ＩＦ（InterFace）１２ａ−１と、ベースバンド部１２ｂ−１と、ＨＷＹＩＦ１２ｃ−１とを有する。無線ＩＦ１２ａ−１は、ＲＥ２０−１とベースバンド部１２ｂ−１との間で、Ｉ／Ｑ信号及び保守信号を送受信する。ベースバンド部１２ｂ−１は、無線ＩＦ１２ａ−１に出力する信号に対し、誤り訂正符号化、無線フレーム化、データ変調、周波数時間変換、ＭＩＭＯ（Multiple-Input  and  Multiple-Output）送信等の処理を行う。ベースバンド部１２ｂ−１は、無線ＩＦ１２ａ−１から入力される信号に対し、時間周波数変換、データ復調、信号分離、誤り訂正復号化、再送、適応変調、スケジューリング等の処理を行う。ＨＷＹＩＦ１２ｃ−１は、Ethernet（登録商標）及びＩＰ（Internet  Protocol）の信号を終端する。
【００１５】
リソース情報管理部１３−１は、拡張用ＲＥＣ装置１０との間で、無線リソース情報を共有する。拡張信号処理部１４−１は、ＲＥＣ装置１０−１内のハードウェア故障や停電の発生時に、拡張用ＲＥＣ装置１０との間で通信を行う。切替指示部１５−１は、故障や停電の発生時に、伝送路ＳＷ１１−１と、拡張信号処理部１４−１と、カプラ・伝送路ＳＷ１６−１とに対し、切替信号を送出する。カプラ・伝送路ＳＷ１６−１は、ＲＥＣ装置１０−１と拡張用ＲＥＣ装置１０とのインタフェースである。また、カプラ・伝送路ＳＷ１６−１は、コアネットワークＮ１から受信されるＩＰ信号を監視するＨＷＹモニタ１６ａ−１を有する。
【００１６】
ＲＥＣ装置１０−１は、通常時には、伝送路ＳＷ１１−１とデジタル処理部１２−１とカプラ・伝送路ＳＷ１６−１とにより、ＲＥ２０−１とコアネットワークＮ１との間の通信を制御する。ＲＥＣ装置１０−１は、故障や停電の発生に伴うバッテリ使用時、あるいは、無線帯域の拡張を要する場合に、伝送路ＳＷ１１−１と拡張信号処理部１４−１とカプラ・伝送路ＳＷ１６−１とにより、デジタル処理部１２−１をバイパスする。これにより、ＲＥＣ装置１０−１は、ＲＥ２０−１と拡張用光リンクネットワークＮ２との間の通信を制御する。
【００１７】
以上、ＲＥＣ装置１０−１の構成を代表的に説明したが、他のＲＥＣ装置１０−２、…、１０−ｎの構成は、ＲＥＣ装置１０−１の構成と同様である。従って、共通する構成要素には、末尾が同一の参照符号を用いると共に、その図示及び詳細な説明は省略する。
【００１８】
次に、拡張用ＲＥＣ装置１０の構成を説明する。図４は、拡張用ＲＥＣ装置１０の構成を示す図である。図４に示す様に、拡張用ＲＥＣ装置１０は、例えばＲＥＣ装置１０−１を介して間接的に、ＲＥ２０−１と通信を行う。拡張用ＲＥＣ装置１０は、伝送路ＳＷ１１−１と切替指示部１５−１とを有さない点を除き、図３に示したＲＥＣ装置１０−１と同様の構成を有する。従って、共通する構成要素には、ハイフン以降を除く末尾が同一の参照符号を用いると共に、その詳細な説明は省略する。具体的には、デジタル処理部１２と、リソース情報管理部１３と、拡張信号処理部１４と、カプラ・伝送路ＳＷ１６とは、ＲＥＣ装置１０−１のデジタル処理部１２−１と、リソース情報管理部１３−１と、拡張信号処理部１４−１と、カプラ・伝送路ＳＷ１６−１とにそれぞれ対応する。
【００１９】
次に、動作を説明する。図５は、拡張用ＲＥＣ装置１０への切替時におけるＲＥＣ拡張制御システム１の動作を説明するためのフローチャートである。動作説明の前提として、本実施例では、切替元のＲＥＣ装置がＲＥＣ装置１０−１である場合を例示するが、他のＲＥＣ装置１０−２、…、１０−ｎが切替元である場合にも、同様の動作を実行可能である。
【００２０】
まずＳ１では、ＲＥＣ装置１０−１の拡張信号処理部１４−１は、拡張用ＲＥＣ装置１０に空きが有るか否かを判定する。該判定は、例えば、トークン信号の受信の有無に基づいて行われる。すなわち、ＲＥＣ装置１０−１は、拡張用ＲＥＣ装置１０から定期的に配信されるトークン信号を監視し、トークン信号を受信した場合には、拡張用ＲＥＣ装置１０に空きが有るものと判定する。一方、ＲＥＣ装置１０−１は、所定時間の間、トークン信号を受信しない場合には、拡張用ＲＥＣ装置１０に空きが無いものと判定する。なお、上記空きの有無の判定は、ＲＥＣ装置１０−１ではなく、オペレータが行ってもよい。
【００２１】
上記Ｓ１における判定の結果、拡張用ＲＥＣ装置１０に空きが無い場合（Ｓ１；Ｎｏ）には、拡張信号処理部１４−１は、空きを待機するが、空きが有る場合（Ｓ１；Ｙｅｓ）には、切替指示部１５−１は、運用中のＲＥＣ装置１０−１の状態を監視する（Ｓ２）。切替指示部１５−１は、該監視により、ＲＥＣ装置１０−１の状態が、「リソース不足」、「バッテリ駆動」、「ＲＥＣ装置の故障」の内、何れに該当するかの判定を行う（Ｓ３〜Ｓ５）。
【００２２】
上記判定の結果、何れにも該当しない場合（Ｓ５；Ｎｏ）には、後述するＳ１１以降の処理に移行するが、何れかに該当する場合には、拡張用ＲＥＣ装置１０は、切替元のＲＥＣ装置１０−１と同一のパラメータ設定を行う。
【００２３】
すなわち、上記監視の結果、「リソース不足」が検知された場合（Ｓ３；Ｙｅｓ）には、拡張用ＲＥＣ装置１０の拡張信号処理部１４は、デジタル処理部１２と、リソース情報管理部１３と、カプラ・伝送路ＳＷ１６とに対し、切替元のＲＥＣ装置１０−１のパラメータから帯域変更したパラメータにて設定を行う（Ｓ６）。これにより、拡張用ＲＥＣ装置１０には、帯域拡張後のパラメータが設定される。また、上記監視の結果、「バッテリ駆動」または「ＲＥＣ装置の故障」が検知された場合（Ｓ４；ＹｅｓまたはＳ５；Ｙｅｓ）には、拡張信号処理部１４は、デジタル処理部１２と、リソース情報管理部１３と、カプラ・伝送路ＳＷ１６とに対し、切替元のＲＥＣ装置１０−１と同一条件のパラメータ設定を行う（Ｓ７）。
【００２４】
上記Ｓ６またはＳ７の処理終了後、切替元のＲＥＣ装置１０−１の拡張信号処理部１４−１は、自ＲＥＣ装置１０−１に故障が発生したか否かの判定を行う（Ｓ８）。該判定の結果、故障が発生していない場合（Ｓ８；Ｎｏ）には、ＲＥＣ装置１０−１のデジタル処理部１２−１は、移動局２０等の移動局を、隣接基地局３０−２のＲＥＣ装置１０−２にハンドオーバさせる（Ｓ９）。その後、ＲＥＣ装置１０−１の拡張信号処理部１４−１は、ＲＥＣ装置１０への切替え処理を行う（Ｓ１０）。なお、上記判定の結果、故障が発生している場合（Ｓ８；Ｙｅｓ）には、ＲＥＣ装置１０−１は、ハンドオーバを実行することができないため、Ｓ９の処理を省略し、Ｓ１０の処理を実行する。
【００２５】
Ｓ１１では、ＲＥＣ装置１０−１の切替指示部１５−１は、ＲＥＣ拡張制御システム１に収容されている全てのＲＥＣ装置１０−１、１０−２、…、１０−ｎに関し、上述したＳ２〜Ｓ１０の一連の処理が実行されたか否かを判定する。該判定の結果、システム内の全てのＲＥＣ装置１０−１、１０−２、…、１０−ｎに対する処理が完了していない場合（Ｓ１１；Ｎｏ）には、監視対象のＲＥＣ装置は、次のＲＥＣ装置に変更される（Ｓ１２）。そして、該ＲＥＣ装置に対し、再びＳ２以降の処理が実行される。なお、Ｓ１１における判定の結果、システム内の全てのＲＥＣ装置１０−１、１０−２、…、１０−ｎに対する処理が完了した場合（Ｓ１１；Ｙｅｓ）には、処理を終了する。
【００２６】
以上、切替時の処理について説明したが、続いて、切戻し時の処理について説明する。図６は、拡張用ＲＥＣ装置１０からの切戻し時におけるＲＥＣ拡張制御システム１の動作を説明するためのフローチャートである。動作説明の前提として、本実施例では、切替元のＲＥＣ装置がＲＥＣ装置１０−１である場合を例示するが、他のＲＥＣ装置１０−２、…、１０−ｎが切替元である場合にも、同様の動作を実行可能である。
【００２７】
まずＳ１１では、拡張用ＲＥＣ装置１０の拡張信号処理部１４は、ＲＥＣ装置１０−１から送信される切戻し要求信号の受信を待機する。拡張用ＲＥＣ装置１０は、該受信を検知すると（Ｓ１１；Ｙｅｓ）、デジタル処理部１２により、移動局２０を含む移動局を、拡張用ＲＥＣ装置１０から隣接基地局３０−２にハンドオーバさせる（Ｓ１２）。
【００２８】
ハンドオーバが完了すると、拡張用ＲＥＣ装置１０の拡張信号処理部１４は、自ＲＥＣ装置から切替元のＲＥＣ装置１０−１への切戻しを行う（Ｓ１３）。切戻しの完了後、ＲＥＣ装置１０−２は、デジタル処理部１２−２により、移動局２０を含む移動局を、隣接基地局３０−２からＲＥＣ装置１０−１にハンドオーバさせる（Ｓ１４）。
【００２９】
続いて、図７〜図１０のシーケンス図を参照しながら、ＲＥＣ拡張制御システム１の動作について、より詳細に説明する。動作説明の前提として、本実施例では、ＲＥＣ装置１０−１、１０−２、…、１０−ｎの内、ＲＥＣ装置１０−１に故障等が発生した場合を想定するが、他のＲＥＣ装置１０−２、…、１０−ｎに故障等が発生した場合にも、同様の処理が実行される。
【００３０】
図７は、故障発生時における拡張用ＲＥＣ装置１０への切替え及び切戻しの動作を説明するためのシーケンス図の前半部分である。まずＴ１では、基地局３０−１において、ＲＥ２０−１とＲＥＣ装置１０−１との間に、ＣＰＲＩによるリンクが確立されている。
【００３１】
リンク確立後、移動局２０とＭＭＥ／Ｓ−ＧＷ４０との間で、１CallシーケンスＣ１が開始される。すなわち、移動局２０は、基地局３０−１と１コール接続し、基地局３０−１経由で、ＭＭＥ／Ｓ−ＧＷ４０宛に、Service  Requestを送信する（Ｔ２、Ｔ３）。該Service  Requestを受信したＭＭＥ／Ｓ−ＧＷ４０は、基地局３０−１経由で、移動局２０に対し、Authentication  Requestを返信する（Ｔ４、Ｔ５）。
【００３２】
なお、１CallシーケンスＣ１は、上述した様に、移動局２０によるService  Requestの送信を契機として開始されるものとしてもよいが、ＭＭＥ／Ｓ−ＧＷ４０によるPaging信号の送信を契機として開始されるものとしてもよい。
【００３３】
Ｔ６、Ｔ７では、拡張用ＲＥＣ装置１０とＲＥＣ装置１０−１、…、１０−ｎとを接続する拡張用光リンクネットワークＮ２において、拡張用ＲＥＣ装置１０に対する発信権を付与するための信号（以下、「トークン信号」と記す。）が周回される。トークン信号は、拡張用ＲＥＣ装置１０をマスター（発信元）として、拡張信号処理部１４により発信される。
【００３４】
ＲＥＣ装置１０−１は、上記Authentication  Requestを受信、一連のプロトコルシーケンスに従いメッセージの送受信を行い、デジタル処理部１２−１により、ＭＭＥ／Ｓ−ＧＷ４０に対し、completeメッセージを通知する（Ｔ８）。通知後は、ＲＥＣ装置１０−１は、拡張用ＲＥＣ装置１０に対し、リソース情報信号を定期的に送信することにより、自装置のリソース状態を報告する（Ｔ９）。
【００３５】
ＲＥＣ装置１０−１は、切替指示部１５−１により、デジタル処理部１２−１の故障を常時監視している。切替指示部１５−１は、デジタル処理部１２−１から定期的に送出されるレベル信号、パターン信号等の故障チェック信号を入力し、故障の有無を判定する（Ｔ１０）。切替指示部１５−１は、所定時間の間、故障チェック信号が入力されない場合（Ｔ１１）、カプラ・伝送路ＳＷ１６−１と、拡張信号処理部１４−１と、伝送路ＳＷ１１−１とに対し、切替指示信号を出力する（Ｔ１２〜Ｔ１４）。
【００３６】
本実施例では、ＲＥＣ装置１０−１、…、１０−ｎの内、ＲＥＣ装置１０−１が上記トークン信号を捕捉する。すなわち、トークン信号は、ＲＥＣ装置１０−１、…、１０−ｎを周回した後（Ｔ１５、Ｔ１６）、故障発生に伴い、上記切替指示信号の入力を受けた拡張信号処理部１４−１によって捕捉される（Ｔ１７）。
【００３７】
ＲＥＣ装置１０−１の拡張信号処理部１４−１は、上記トークン信号の捕捉により、拡張用ＲＥＣ装置１０に対する発信権を得ると、拡張用ＲＥＣ装置１０に対し、切替要求信号を発信する（Ｔ１８）。拡張用ＲＥＣ装置１０は、該切替要求信号を受信すると、拡張信号処理部１４により、ＲＥＣ装置１０−１のパラメータを自装置に設定する。これにより、拡張用ＲＥＣ装置１０は、ＲＥＣ装置１０−１と同化する（Ｔ１９）。同化処理に際し、拡張用ＲＥＣ装置１０は、自装置内のメモリに事前に記憶された、切替え対象となる各ＲＥＣ装置１０−１、…、１０−ｎの装置運用のためのパラメータを使用する。
【００３８】
拡張用ＲＥＣ装置１０は、ＲＥＣ装置１０−１化を完了すると、拡張信号処理部１４により、基地局３０−２、…、３０−ｎと基地局３０−１とに対し、切替応答信号を返信する（Ｔ２０、Ｔ２１）。これにより、基地局３０−１は、ＲＥＣ装置１０−１から拡張用ＲＥＣ装置１０への切替えが完了したことを検知し、他の基地局３０−２、…、３０−ｎは、拡張用ＲＥＣ装置１０がＲＥＣ装置１０−１により同化されたことを検知する。
【００３９】
以降、ＲＥ２０−１とＲＥＣ装置１０−１との間に確立されていたＣＰＲＩリンクは、ＲＥ２０−１と拡張用ＲＥＣ装置１０との間に確立される（Ｔ２２）。そして、基地局３０−１は、ＲＥ２０−１の受信するＣＰＲＩ信号を、拡張用ＲＥＣ装置１０にバイパスさせる。
【００４０】
図８は、故障発生時における拡張用ＲＥＣ装置１０への切替え及び切戻しの動作を説明するためのシーケンス図の後半部分である。移動局２０と拡張用ＲＥＣ装置１０との間では、上記ＣＰＲＩリンクを用いた１Call接続が行われ、移動局２０と拡張用ＲＥＣ装置１０とは、通信中状態に遷移する（１CallシーケンスＣ２）。１CallシーケンスＣ２におけるステップＴ２３〜Ｔ２７の各処理は、上述した１CallシーケンスＣ１におけるステップＴ２〜Ｔ５、Ｔ８（図７参照）の各処理と同様である。従って、その詳細な説明は省略する。具体的には、図８のステップＴ２３〜Ｔ２６、Ｔ２７の各処理は、図７に示したステップＴ２〜Ｔ５、Ｔ８の各処理にそれぞれ対応する。
【００４１】
なお、Ｔ２７以降、１Callシーケンスによる呼処理が新たに入るか否かは、移動局２０と基地局３０−１との間に、タイムアウト等による呼解放が発生したか否かにより決定される。例えば、移動局２０と基地局３０−１との間に呼解放が発生した場合、１Callシーケンスによる新たな呼処理が発生する。
【００４２】
切替え後は、拡張用ＲＥＣ装置１０により運用されるが、ＲＥＣ装置１０−１が故障から復旧すると、拡張信号処理部１４−１は、拡張用ＲＥＣ装置１０に対し、切戻し要求信号を送信する（Ｔ２８）。Ｔ２９では、上記Ｔ９と同様に、拡張用ＲＥＣ装置１０は、ＲＥＣ装置１０−１に対し、リソース情報信号を定期的に送信することにより、自装置のリソース状態を報告する。
【００４３】
続いて、切戻しのためのハンドオーバシーケンスＨ１が実行される。拡張用ＲＥＣ装置１０の拡張信号処理部１４は、上記切戻し要求信号の受信を検知すると、電波到達範囲内の隣接基地局（本実施例では、例えば基地局３０−２）に、移動局２０を含む移動局を、一旦ハンドオーバさせる。具体的には、拡張用ＲＥＣ装置１０は、デジタル処理部１２によりHandover  Requestを送出し、ＭＭＥ／Ｓ−ＧＷ４０経由で、隣接基地局３０−２に到達させる（Ｔ３０、Ｔ３１、Ｔ３２）。Ｔ３０、Ｔ３１、Ｔ３２と同様の処理は、他の隣接基地局３０−３〜３０−ｎに対して実行されるものとしてもよい。
【００４４】
拡張用ＲＥＣ装置１０から隣接基地局３０−２〜３０−ｎへのハンドオーバが完了すると、拡張用ＲＥＣ装置１０は、拡張信号処理部１４により、基地局３０−２、…、３０−ｎと基地局３０−１とに対し、切戻し応答信号を返信する（Ｔ３３、Ｔ３４）。これにより、基地局３０−１は、拡張用ＲＥＣ装置１０からＲＥＣ装置１０−１への切戻しが完了したことを検知し、他の基地局３０−２、…、３０−ｎは、拡張用ＲＥＣ装置１０がＲＥＣ装置１０−１から解放されたことを検知する。
【００４５】
Ｔ３５では、基地局３０−１において、ＲＥ２０−１とＲＥＣ装置１０−１との間に、ＣＰＲＩによるリンクが再び確立される。併せて、拡張用ＲＥＣ装置１０の拡張信号処理部１４は、トークン信号の送出及び周回を再開する（Ｔ３６〜Ｔ３８）。また、ＲＥＣ装置１０−１のデジタル処理部１２−１は、切替指示部１５−１に対する、レベル信号、パターン信号等の故障チェック信号の定期的な送出を再開する（Ｔ３９）。
【００４６】
その後、隣接基地局３０−２〜３０−ｎから基地局３０−１へのハンドオーバシーケンスＨ２が実行される。ハンドオーバシーケンスＨ２は、上述したハンドオーバシーケンスＨ１と共通の処理を複数含むため、その詳細な説明は省略する。具体的には、図８のステップＴ４０、Ｔ４１〜Ｔ４６の各処理は、上記ステップＴ３０、Ｔ３１、Ｔ３２の各処理にそれぞれ対応する。
【００４７】
なお、ハンドオーバシーケンスＨ２は、基地局３０−１〜３０−ｎの電波環境に応じて実行される。例えば、移動局２０、基地局３０−１間の電波状態が、移動局２０、隣接基地局３０−２〜３０−ｎ間の電波状態よりも良好な場合に実行される。ハンドオーバ完了後、基地局３０−１は、移動局２０を含む移動局との通信状態へと遷移する。
【００４８】
ＲＥＣ装置１０−１のデジタル処理部１２−１は、切替指示部１５−１に対し、上記故障チェック信号を送出継続する（Ｔ４２、Ｔ４７）。また、拡張用ＲＥＣ装置１０は、上記トークン信号を、基地局３０−１〜３０−ｎ間で周回継続させる（Ｔ４３〜Ｔ４５、Ｔ４８〜Ｔ５０）。
【００４９】
以上、故障発生時における切替え処理及び切戻し処理について説明したが、続いて、故障発生時以外における切替え処理及び切戻し処理について説明する。
【００５０】
図９は、バッテリ駆動時及びリソース不足時における拡張用ＲＥＣ装置への切替え及び切戻しの動作を説明するためのシーケンス図の前半部分である。図９は、故障発生時の動作説明にて参照した図７と、同様の処理を複数含むことから、共通するステップには、末尾が同一の参照符号を付すと共に、その詳細な説明は省略する。具体的には、図９のステップＵ１〜Ｕ１１の各処理は、図７に示したステップＴ１〜Ｔ１１の各処理にそれぞれ対応する。
【００５１】
続いて、切替えのためのハンドオーバシーケンスＨ３が実行される。ＲＥＣ装置１０−１は、自装置のバッテリ駆動またはリソース不足を検知すると、電波到達範囲内の隣接基地局（本実施例では、例えば基地局３０−２）に、移動局２０を含む移動局を、一旦ハンドオーバさせる。具体的には、ＲＥＣ装置１０−１は、デジタル処理部１２−１によりHandover  Requestを送出し、ＭＭＥ／Ｓ−ＧＷ４０経由で、隣接基地局３０−２に到達させる（Ｕ５１、Ｕ５２、Ｕ５３）。Ｕ５１、Ｕ５２、Ｕ５３と同様の処理は、他の隣接基地局３０−３〜３０−ｎに対して実行されるものとしてもよい。
【００５２】
基地局３０−１から隣接基地局３０−２〜３０−ｎへのハンドオーバが完了すると、拡張用ＲＥＣ装置１０において、ＲＥＣ装置１０−１と同様のパラメータが設定され、拡張用ＲＥＣ装置１０がＲＥＣ装置１０−１と同化する。これにより、従前までＲＥＣ装置１０−１との間でＣＰＲＩリンクが確立されていたＲＥ２０−１は、以降、拡張用ＲＥＣ装置１０との間でＣＰＲＩリンクを確立する。図９のＵ１２〜Ｕ２２に示す具体的な処理は、図７に示したステップＴ１２〜Ｔ２２の各処理と同様である。従って、共通するステップには、末尾が同一の参照符号を付すと共に、その詳細な説明は省略する。
【００５３】
ここで、Ｕ１８の切替要求信号には、切替えの理由が、バッテリ駆動、リソース不足の内の何れであるかを示す情報が含まれている。拡張用ＲＥＣ装置１０は、上記切替要求信号を受信すると、切替えの理由を判別し、該理由が「リソース不足」である場合には、基地局３０−１のパラメータを自装置に設定する際、帯域拡張した形で設定する。なお、帯域拡張時は、保守管理者による拡張用ＲＥＣ装置１０の制御も可能としておく。
【００５４】
上述の処理により、ＲＥＣ装置１０−１は、ＲＥ２０−１から受信されるＣＰＲＩ信号を拡張用ＲＥＣ装置１０にバイパスさせることができる。切替え後は、基地局３０−１のＲＥ２０−１と拡張用ＲＥＣ装置１０との通信は、ＣＰＲＩリンクアップとなり、移動局２０と基地局３０−１との通信は、１Callまたはハンドオーバ接続が可能なアクティブ状態へと遷移する。
【００５５】
図１０は、バッテリ駆動時及びリソース不足時における拡張用ＲＥＣ装置への切替え及び切戻しの動作を説明するためのシーケンス図の後半部分である。Ｕ２２の処理終了後、切替えのためのハンドオーバシーケンスＨ４が再び実行される。すなわち、基地局３０−２は、自装置への移動局のハンドオーバを検知すると、拡張用ＲＥＣ装置１０に、移動局２０を含む移動局を、ハンドオーバさせる。具体的には、基地局３０−２は、デジタル処理部１２−２により、Handover  Requestを送出し、ＭＭＥ／Ｓ−ＧＷ４０経由で、拡張用ＲＥＣ装置１０に到達させる（Ｕ５４、Ｕ５５、Ｕ５６）。Ｕ５４、Ｕ５５、Ｕ５６と同様の処理は、他の隣接基地局３０−３〜３０−ｎにおいて実行されるものとしてもよい。
【００５６】
上述した様に、ＲＥＣ装置の切替えは、段階的なハンドオーバによって実現される。すなわち、ＲＥＣ拡張制御システム１は、切替えのためのハンドオーバの実行に際し、他の基地局３０−２〜３０−ｎを間に介在させることで、基地局３０−１から拡張用ＲＥＣ装置１０への直接的なハンドオーバを回避する。これにより、基地局３０−１と拡張用ＲＥＣ装置１０との間にタイムラグが生じ、拡張用ＲＥＣ装置１０は、ＲＥＣ装置１０−１化のためのパラメータ設定等の準備が可能となる。また、移動局は、同化した基地局３０−１と拡張用ＲＥＣ装置１０との間においても、通信を切断させることなく、切替先（拡張用ＲＥＣ装置１０）への正常な接続変更が可能となる。
【００５７】
切替え後は、拡張用ＲＥＣ装置１０での運用となるが、ＲＥＣ装置１０−１において、バッテリが不要となった場合、または、リソース不足回復またはリソースが確保された場合には、装置の回復が可能である。従って、拡張用ＲＥＣ装置１０からＲＥＣ装置１０−１への切戻しが開始される。切戻し処理は、図１０のＵ２８〜Ｕ５０に示す処理であるが、図８に示したステップＴ２８〜Ｔ５０の各処理と同様である。従って、共通するステップには、末尾が同一の参照符号を付すと共に、その詳細な説明は省略する。
【００５８】
上述した様に、ＲＥＣ装置の切戻し処理も、切替え処理と同様に、段階的なハンドオーバによって実現される。すなわち、ＲＥＣ拡張制御システム１は、切戻しのためのハンドオーバの実行に際し、他の基地局３０−２〜３０−ｎを間に介在させることで、拡張用ＲＥＣ装置１０から基地局３０−１への直接的なハンドオーバを回避する。これにより、拡張用ＲＥＣ装置１０と基地局３０−１との間にタイムラグが生じ、基地局３０−１は、拡張用ＲＥＣ装置１０とＲＥ２０−１を介して接続していた移動局を受け入れる準備が可能となる。また、移動局は、同化した拡張用ＲＥＣ装置１０と基地局３０−１との間においても、通信を切断させることなく、切替元（ＲＥＣ装置１０−１）への正常な接続変更が可能となる。
【００５９】
ここで、図２に示す様に、拡張用ＲＥＣ装置１０と各ＲＥＣ装置１０−１〜１０−ｎとの間が拡張専用光リンクにより接続される場合、ＲＥＣ拡張制御システム１は、１本の光ファイバを使用して、ＣＰＲＩインタフェースと同様に、上りと下りの信号を疎通させる。図２に示す接続形態において、例えば、拡張用ＲＥＣ装置１０がＲＥＣ装置１０−１と通信を行う場合、左回りと右回りとでは、介在する装置段数が異なる。すなわち、拡張用ＲＥＣ装置１０を起点とする通信は、左回りが装置段数“０”、右回りが装置段数“１”の通信となる。拡張用ＲＥＣ装置１０と各ＲＥＣ装置１０−１〜１０−ｎとは、この様な段数の違いを、位相調整により吸収することで、各ＲＥ２０−１〜２０−ｎとのインタフェースを実現する。具体的には、拡張用ＲＥＣ装置１０と各ＲＥＣ装置１０−１〜１０−ｎとの拡張信号処理部１４、１４−１〜１４−ｎは、上り信号と下り信号との位相比較を行い、装置内のバッファを用いて位相吸収する。
【００６０】
また、将来的に、ＣＰＲＩ信号のＩＰ（ＣＰＲＩ  over  Ethernet（登録商標））化等により、ＣＮ上でも、ＣＰＲＩ信号の送受信が可能となることが想定される。この場合、各ＲＥＣ装置１０−１〜１０−ｎの拡張信号処理部１４−１〜１４−ｎは、ＣＰＲＩ信号をＩＰ（Internet  Protocol）パケット化し、カプラ・伝送路ＳＷ１６−１〜１６−ｎは、ＩＰ化されたＣＰＲＩ信号をＣＮに送出する。拡張用ＲＥＣ装置１０においても同様に、カプラ・伝送路ＳＷ１６と拡張信号処理部１４とを介して、ＩＰ化後のＣＰＲＩ信号が送受信される。かかる態様では、上記拡張専用光リンクは不要となる。
【００６１】
更に、ＲＥＣ拡張制御システム１は、上記拡張専用光リンクとＣＮとの内の何れかを、状況に応じて、選択するものとしてもよい。例えば、各ＲＥＣ装置１０−１〜１０−ｎと各ＲＥ２０−１〜２０−ｎとの間の処理遅延が所定時間（例えば、２〜５ｍｓ）以下である場合、あるいは、ジッタが所定値以下である場合には、ＲＥＣ拡張制御システム１は、ＣＮを選択する。なお、ＣＮが選択された場合には、各ＲＥＣ装置１０−１〜１０−ｎと拡張用ＲＥＣ装置１０とが同時にＣＮ側に接続される。従って、各ＲＥＣ装置１０−１〜１０−ｎと拡張用ＲＥＣ装置１０とは、運用用及び非運用用のＩＰアドレスを、事前に２つずつ、切替え可能な様にパラメータ設定しておくことが望ましい。
【００６２】
より具体的には、ＲＥＣ拡張制御システム１が許容する、ＲＥＣ装置−ＲＥ間の最大信号遅延時間を規定値Ｄ１とする。また、通常運用時における、各ＲＥＣ装置１０−１〜１０−ｎとＲＥ２０−１〜２０−ｎ間の信号遅延時間の実測値を、実測値Ｄ２とする。更に、新規の拡張専用光リンク使用時における、拡張用ＲＥＣ装置１０とＲＥ２０−１〜２０−ｎ間の信号遅延時間の実測値を、実測値Ｄ３とする。そして、ＣＮ使用時における、拡張用ＲＥＣ装置１０とＲＥ２０−１〜２０−ｎ間の信号遅延時間の実測値を、実測値Ｄ４とする。なお、各実測値Ｄ２〜Ｄ４は、ネットワークＮ１、Ｎ２の輻輳状態によって随時変化するため、所定時間間隔で、定期的に測定されることが望ましい。
【００６３】
通常運用時は、各ＲＥＣ装置１０−１〜１０−ｎが使用されるため、規定値Ｄ１＞実測値Ｄ２が成立する。従って、ＲＥＣ拡張制御システム１は、ＣＮを選択する。一方、拡張用ＲＥＣ装置１０を用いた拡張運用時には、規定値Ｄ１＞実測値Ｄ４であれば、ＲＥＣ拡張制御システム１は、従来通り、ＣＮを選択する。これに対し、規定値Ｄ１≦実測値Ｄ４の場合には、ＲＥＣ拡張制御システム１は、上記拡張専用光リンクを選択する。なお、何れの場合にも、ＲＥＣ拡張制御システム１は、規定値Ｄ１＞実測値Ｄ３の条件が満たされることを前提として運用される。
【００６４】
以上説明した様に、ＲＥＣ拡張制御システム１は、ＲＥ２０−１と通信を行うＲＥＣ装置１０−１と、拡張用ＲＥＣ装置１０とを有する。ＲＥＣ装置１０−１は、切替指示部１５−１と拡張信号処理部１４−１とを有する。切替指示部１５−１は、ＲＥＣ装置１０−１の状態を監視し、該監視の結果に基づき、ＲＥＣ装置１０−１から拡張用ＲＥＣ装置１０への切替えを決定する。拡張信号処理部１４−１は、切替指示部１５−１により上記切替えが決定された場合、拡張用ＲＥＣ装置１０から送信される信号（上記トークン信号）を取得（捕捉）すると共に、拡張用ＲＥＣ装置１０に対し、上記切替えを要求する。拡張用ＲＥＣ装置１０は、拡張信号処理部１４とデジタル処理部１２とを有する。拡張信号処理部１４は、ＲＥＣ装置１０−１の拡張信号処理部１４−１による上記切替えの要求を受信する。デジタル処理部１２は、拡張信号処理部１４により受信された上記切替えの要求に応じて、ＲＥＣ装置１０−１のパラメータを、拡張用ＲＥＣ装置１０に設定し、ＲＥ２０−１との間にＣＰＲＩリンクを確立する。
【００６５】
ＲＥＣ拡張制御システム１において、ＲＥＣ装置１０−１の切替指示部１５−１は、ＲＥＣ装置１０−１の故障またはバッテリ駆動またはリソース不足の検出に伴い、ＲＥＣ装置１０−１から拡張用ＲＥＣ装置１０への切替えを決定するものとしてもよい。また、ＲＥＣ拡張制御システム１において、ＲＥＣ装置１０−１の切替指示部１５−１は、ＲＥＣ装置１０−１の故障またはバッテリ駆動またはリソース不足の回復に伴い、拡張用ＲＥＣ装置１０からＲＥＣ装置１０−１への切戻しを決定する。ＲＥＣ装置１０−１の拡張信号処理部１４−１は、切替指示部１５−１により上記切戻しが決定された場合、拡張用ＲＥＣ装置１０に対し、上記切戻しを要求する。拡張用ＲＥＣ装置１０のデジタル処理部１２は、ＲＥＣ装置１０−１からの上記切戻しの要求に応じて、ＲＥ２０−１との間に確立されたＣＰＲＩリンクを解放するものとしてもよい。更に、ＲＥＣ拡張制御システム１において、ＲＥＣ装置１０−１は、ＲＥＣ装置１０−１のバッテリ駆動またはリソース不足の検出に伴い、ＲＥＣ装置１０−１に接続された移動局２０を、ＲＥＣ装置１０−２にハンドオーバさせる要求を、ＲＥＣ装置１０−２宛に送信するデジタル処理部１２−１を更に有するものとしてもよい。
【００６６】
これにより、既存の物理インタフェースを変更することなく、ＲＥＣ装置の拡張が実現される。すなわち、各ＲＥＣ装置１０−１〜１０−ｎは、自装置の故障、停電等に伴うバッテリ駆動、あるいは、ユーザ数の増加に伴うリソース不足が発生した場合、上位ＣＮ側に配備された拡張用ＲＥＣ装置１０に、デジタル処理を代行させる。その際、信号ルートとして、各ＲＥＣ装置１０−１〜１０−ｎと各ＲＥ２０−１〜２０−ｎとの間で送受信されるＣＰＲＩ信号は、切替元のＲＥＣ装置１０−１〜１０−ｎにおいて、消費電力の高いデジタル処理を経ることはない。上記ＣＰＲＩ信号は、上記拡張専用光リンクを介して、切替先となる拡張用ＲＥＣ装置１０に中継される。
【００６７】
あるいは、切替元のＲＥＣ装置１０−１〜１０−ｎは、ＣＰＲＩ信号のＩＰ（ＣＰＲＩ  over  Ethernet（登録商標））パケット化により、既設のＣＮを介して、ＣＰＲＩ信号を拡張用ＲＥＣ装置１０に送信する。これにより、拡張用ＲＥＣ装置１０は、各ＲＥ２０−１〜２０−ｎとの間での通信が可能となる。なお、ＣＰＲＩに限らず、ＯＢＳＡＩ（Open  Base  Station  Architecture  Initiative）によっても、同様の装置切替えによるデジタル処理の代行が可能である。また、装置故障、バッテリ駆動、リソース不足等の切替え要因の監視には、例えば、ＣＰＲＩ信号のControl＆Management  Planeの使用が可能である。
【００６８】
上述した様に、ＲＥＣ拡張制御システム１は、拡張用ＲＥＣ装置１０を上位ネットワーク側に配置し、複数のＲＥＣ装置１０−１、…、１０−ｎ間で共用する。これにより、各ＲＥＣ装置１０−１、…、１０−ｎは、自装置に故障等が発生した場合にも、装置サイズを増大させることなく、簡易な構成で通信を継続することができる。特に、故障発生時には、ＲＥＣ拡張制御システム１は、低コストかつ低消費電力で、短時間での復旧が可能である。また、停電等によるバッテリ駆動時にも、ＲＥＣ拡張制御システム１は、短時間での復旧が可能である。その結果、サービス停止時間が短縮される。
【００６９】
更に、各ＲＥＣ装置１０−１、…、１０−ｎは、リソース不足の場合、突発的なユーザ数の増加に柔軟に対応することができなかった。しかしながら、ＲＥＣ拡張制御システム１は、拡張用ＲＥＣ装置１０を最大帯域（例えば、２０ＭＨｚ中の全帯域）で運用することで、各ＲＥＣ装置１０−１、…、１０−ｎのリソースが不足した場合にも、短時間でのリソース拡張が可能となる。
【００７０】
なお、上記実施例では、ＲＥＣ拡張制御システム１が、１つの拡張用ＲＥＣ装置１０を有する態様を例示したが、拡張用ＲＥＣ装置１０は複数あってもよい。これにより、拡張用ＲＥＣ装置１０の空き時間が増加し、ＲＥＣ拡張制御システム１は、複数のＲＥＣ装置１０−１、…、１０−ｎに同時期に故障等が発生した場合にも、対応することができる。その結果、ＲＥＣ拡張制御システム１の信頼性が向上する。
【００７１】
更に、上記実施例においては、ＲＥＣ拡張制御システム１の各構成要素は、必ずしも物理的に図示の如く構成されていることを要しない。すなわち、各装置の分散・統合の具体的態様は、図示のものに限らず、その全部又は一部を、各種の負荷や使用状況等に応じて、任意の単位で機能的又は物理的に分散・統合して構成することもできる。例えば、拡張用ＲＥＣ装置１０のリソース情報管理部１３と拡張信号処理部１４、あるいは、ＲＥＣ装置１０−１の伝送路ＳＷ１１−１とカプラ・伝送路ＳＷ１６−１をそれぞれ１つの構成要素として統合してもよい。
【００７２】
反対に、ＲＥＣ装置１０−１の拡張信号処理部１４−１に関し、切替えが決定された場合に、拡張用ＲＥＣ装置１０から送信される信号（トークン信号）を取得する部分と、拡張用ＲＥＣ装置１０に対し、上記切替えを要求する部分とに分散してもよい。また、拡張用ＲＥＣ装置１０のデジタル処理部１２に関し、ＲＥＣ装置１０−１からの上記切替えの要求に応じて、ＲＥＣ装置１０−１のパラメータを、拡張用ＲＥＣ装置１０に設定する部分と、ＲＥ２０−１との間にＣＰＲＩリンクを確立する部分とに分散してもよい。更に、パラメータやリソース情報を格納するメモリを、拡張用ＲＥＣ装置１０または各ＲＥＣ装置１０−１〜１０−ｎの外部装置として、ネットワークやケーブル経由で接続する様にしてもよい。
【符号の説明】
【００７３】
１  ＲＥＣ拡張制御システム
１０  拡張用ＲＥＣ装置
１０−１、１０−２、…、１０−ｎ  ＲＥＣ（Radio  Equipment  Control）装置
１０ａ、１０ａ−１、１０ａ−２、…、１０ａ−ｎ  従来回路
１０ｂ、１０ｂ−１、１０ｂ−２、…、１０ｂ−ｎ  追加回路
１１−１、１１−２、…、１１−ｎ  伝送路ＳＷ（SWitch）
１１ａ−１、１１ａ−２、…、１１ａ−ｎ  ＣＰＲＩ（Common  Public  Radio  Interface）モニタ
１２  デジタル処理部
１２−１、１２−２、…、１２−ｎ  デジタル処理部
１２ａ  無線ＩＦ（InterFace）
１２ａ−１、１２ａ−２、…、１２ａ−ｎ  無線ＩＦ（InterFace）
１２ｂ  ベースバンド部
１２ｂ−１、１２ｂ−２、…、１２ｂ−ｎ  ベースバンド部
１２ｃ  ＨＷＹＩＦ（HighWaY  InterFace）
１２ｃ−１、１２ｃ−２、…、１２ｃ−ｎ  ＨＷＹＩＦ（HighWaY  InterFace）
１３  リソース情報管理部
１３−１、１３−２、…、１３−ｎ  リソース情報管理部
１４  拡張信号処理部
１４−１、１４−２、…、１４−ｎ  拡張信号処理部
１５−１、１５−２、…、１５−ｎ  切替指示部
１６  カプラ・伝送路ＳＷ（SWitch）
１６−１、１６−２、…、１６−ｎ  カプラ・伝送路ＳＷ（SWitch）
１６ａ  ＨＷＹ（HighWaY）モニタ
１６ａ−１、１６ａ−２、…、１６ａ−ｎ  ＨＷＹ（HighWaY）モニタ
２０  移動局
２０−１、２０−２、…、２０−ｎ  ＲＥ
３０−１、３０−２、…、３０−ｎ  基地局
４０  ＭＭＥ／Ｓ−ＧＷ
Ａ１  従来及び切替え前の信号経路
Ａ２  切替え後の信号経路
Ｃ１、Ｃ２、Ｃ１１  １Callシーケンス
Ｈ１、Ｈ２、Ｈ３、Ｈ４、Ｈ１１、Ｈ１２  ハンドオーバシーケンス
Ｎ１  コアネットワーク
Ｎ２  拡張用光リンクネットワーク
【図１】
2014230175.tif 000003
【図２】
2014230175.tif 000004
【図３】
2014230175.tif 000005
【図４】
2014230175.tif 000006
【図５】
2014230175.tif 000007
【図６】
2014230175.tif 000008
【図７】
2014230175.tif 000009
【図８】
2014230175.tif 000010
【図９】
2014230175.tif 000011
【図１０】
2014230175.tif 000012